(57)【特許請求の範囲】
【請求項１】
ホトリフラグティブ結晶からなるホトリフラグティブ媒質が閉じ込められたホトリフラグティブ導波路の信号光入力位置に入力ポートが配置され、この入力ポートから離れたホトリフラグティブ導波路の位置に制御光の入力ポートを兼用する複数の出力ポートが配列配置され、ホトリフラグティブ導波路の片端側の入力ポートからホトリフラグティブ導波路に導入した入力光と、前記出力ポートからホトリフラグティブ導波路に導入した制御光とによってホトリフラグティブ導波路内のホトリフラグティブ媒質に前記入力光の回折光が制御光の位相共役波になるように回折格子が自動生成される構成とし、入力ポートから入力される入力光の光信号を制御光が入力される出力ポートから選択的に出力することを特徴とするホトリフラグティブ導波路型インターコネクション装置。
【請求項２】
入力ポートと、複数の出力ポートとが配置されて内部にホトリフラグティブ媒質が閉じ込められたホトリフラグティブ導波路が複数集合配列され、各ホトリフラグティブ導波路毎に入力ポートから入力される光信号を制御光が入力された出力ポートから選択的に出力する構成とした請求項１記載のホトリフラグティブ導波路型インターコネクション装置。
【請求項３】
出力ポート側には出力ポートから出力された出力光の経路と、外部から出力ポートに導入する制御光の外部導入経路とを分離する経路分離手段が設けられている請求項１又は請求項２記載のホトリフラグティブ導波路型インターコネクション装置。
【請求項４】
ホトリフラグティブ媒質が閉じ込められたホトリフラグティブ導波路の信号入力側に信号入力部位を、この信号入力部位から離れたホトリフラグティブ導波路の位置に１つ以上の信号出力部位をそれぞれ設け、信号入力部位から入力光を入力するとともに、前記１つ以上の信号出力部位のうちの選択した信号出力部位から制御光を入力してホトリフラグティブ導波路内のホトリフラグティブ媒質に前記入力光の回折光が制御光の位相共役波になるように回折格子を自動生成し、信号入力部位から入力する入力光の光信号を前記回折格子で回折して制御光を入力した信号出力部位から選択的に出力する構成と成し、前記入力光は信号入力部位への入力開始時又は信号出力部に対する制御光の入力切り替え時から、入力光の回折光が制御光の位相共役波になるように回折格子が自動生成するのに要する時間として予め定めた設定時間に達するまでは信号の乗らない光とし、この設定時間の経過後に信号を乗せた入力光とすることを特徴とするホトリフラグティブ導波路型インターコネクション方法。
【請求項５】
入力光の波長と制御光の波長は同一波長とした請求項４記載のホトリフラグティブ導波路型インターコネクション方法。
【発明の詳細な説明】
【０００１】
【発明の属する技術分野】
本発明は、光の照射により屈折率が変化するホトリフラグティブ素子を導波路として用い、光により信号経路を制御するホトリフラグティブ導波路型インターコネクション装置およびそのインターコネクション方法に関するものである。
【０００２】
【背景技術】
光通信分野において、ホトリフラグティブ効果を用いた光インターコネクションが注目されている。ホトリフラグティブ効果とは、光の照射により媒質の空間電界が発生し、ポッケスル効果を介し、媒質の屈折率が変化する現象である。比較的低出力のレーザ光により屈折率格子を形成できるという特徴を有しており、光により制御可能な光能動素子としての応用が期待されている。
【０００３】
ホトリフラグティブ効果を用いた光インターコネクションでは、制御光により誘起された屈折率格子により信号光が回折され、望みの出力チャネルへと接続される。ホトリフラグティブ効果を用いたインターコネクションは、ホトリフラグティブ２波混合を用いる手法あるいは計算機生成ホログラムを空間配列スイッチとして用いる手法によって作られるのが一般的である。
【０００４】
図５はホトリフラグティブ２波混合を用いる手法を示すものである。同図において、レーザ光▲１▼、▲２▼、▲３▼、▲４▼を含む入力信号光のごく一部はビームスプリッタ１によって分岐され、プローブビームと呼ばれるこのビームは鏡２で反射されて円筒型のレンズ３を透過する。プローブビームはこのレンズ３によって広げられて空間光変調器（ＳＬＭ）４を通過する。空間光変調器４で変調されたプローブビームは、ホトリフラグティブ結晶５内でビームスプリッタ１を透過した主ビームと再結合する。
【０００５】
ここで２波混合によって、主ビームのエネルギーの大部分はインターコネクションパターンを担ったプローブビームへと移行する。その結果、光インターコネクションが行なわれる。図５の例では、レーザ光▲１▼は受光素子ｂとｃとｄ、レーザ光▲２▼は受光素子ａとｄ、レーザ光▲３▼は受光素子ｃ、レーザ光▲４▼は受光素子ａとｃへとそれぞれ接続されている。
【０００６】
図６は計算機生成ホログラムを空間配列スイッチとして用いる手法を示すもので、制御光は空間フィルタ９を透過した後にビームスプリッタ１で反射され、レンズ８を通してホトリフラグティブ結晶５に導入される。前記空間フィルタ９は制御光に接続パターンを決定する位相パターン（ここでは計算機で適切な位相パターンを計算したもの）を付加するために設けられるものである。一方、ホトリフラグティブ結晶５へは参照光（平面波）が導入されており、前記位相パターンが付加された制御光と前記参照光とによってホトリフラグティブ結晶５の中に制御パターンのホログラムが書き込まれる。
【０００７】
複数のレーザ光を含む入力信号光は空間位相フィルタ７、レンズ８を順に透過してホトリフラグティブ結晶５内に導入される。前記、空間位相フィルタ７は入力信号光に位相パターンを付加する。位相パターンが付加された入力信号光はホトリフラグティブ結晶５内に書き込まれたホログラムに回折されて望みのチャネルへと接続される。ここで、ホログラムは光相関器の役割を果たし、接続パターンを決定するためにはホトリフラグティブ結晶５中に適切なホログラムを形成させる必要がある。これは、あらかじめ計算機で計算したものを制御パターンとして与えることにより実現される。空間フィルタ９で制御光に付加される位相パターンは接続を切り替えるたびにそれに対応して書き換えられる。
【０００８】
【発明が解決しようとする課題】
信号光の接続効率は、各光波の交差する領域の大きさに大きく依存するが、従来の２波混合を用いる手法やホログラムを用いる手法のいずれにおいても、大きい相互作用領域を取ることが難しく、結果として大きな回折効率を得られないという問題があった。特に計算機生成ホログラムを用いる手法においては、接続パターンを決定するホログラムを計算機で計算する機構が必要であり、かつホログラムを誘起するため２つのコヒーレントな光を用いる必要があるため、結果として素子構成が複雑になるという問題があった。
【０００９】
本発明は、上記従来の問題を解消するためになされたものであり、その目的は、ホトリフラグティブ導波路を用いて長い相互作用領域を確保することにより接続効率を向上させるとともに、希望する出力ポートからの光入力によって送信先の出力ポートを自在に選択・制御することを可能とし、併せてデバイス構成の簡易化を達成することが可能なホトリフラグティブ導波路型インターコネクション装置およびそのインターコネクション方法を提供することにある。
【００１０】
【課題を解決するための手段】
本発明は上記目的を達成するために次のような構成をもって、課題を解決する手段としている。すなわち、第１の発明は、ホトリフラグティブ結晶からなるホトリフラグティブ媒質が閉じ込められたホトリフラグティブ導波路の信号光入力位置に入力ポートが配置され、この入力ポートから離れたホトリフラグティブ導波路の位置に制御光の入力ポートを兼用する複数の出力ポートが配列配置され、ホトリフラグティブ導波路の片端側の入力ポートからホトリフラグティブ導波路に導入した入力光と、前記出力ポートからホトリフラグティブ導波路に導入した制御光とによってホトリフラグティブ導波路内のホトリフラグティブ媒質に前記入力光の回折光が制御光の位相共役波になるように回折格子が自動生成される構成とし、入力ポートから入力される入力光の光信号を制御光が入力される出力ポートから選択的に出力する構成をもって課題を解決する手段としている。
【００１１】
また、第２の発明は前記第１の発明の構成を備えた上で、入力ポートと、複数の出力ポートとが配置されて内部にホトリフラグティブ媒質が閉じ込められたホトリフラグティブ導波路が複数集合配列され、各ホトリフラグティブ導波路毎に入力ポートから入力される光信号を制御光が入力された出力ポートから選択的に出力する構成とした構成をもって課題を解決する手段としている。
【００１２】
さらに、第３の発明は、前記第１又は第２の発明の構成を備えたものにおいて、出力ポート側には出力ポートから出力された出力光の経路と、外部から出力ポートに導入する制御光の外部導入経路とを分離する経路分離手段が設けられていることを特徴とする。
【００１３】
さらに、第４の発明は、ホトリフラグティブ媒質が閉じ込められたホトリフラグティブ導波路の信号入力側に信号入力部位を、この信号入力部位から離れたホトリフラグティブ導波路の位置に１つ以上の信号出力部位をそれぞれ設け、信号入力部位から入力光を入力するとともに、前記１つ以上の信号出力部位のうちの選択した信号出力部位から制御光を入力してホトリフラグティブ導波路内のホトリフラグティブ媒質に前記入力光の回折光が制御光の位相共役波になるように回折格子を自動生成し、信号入力部位から入力する入力光の光信号を前記回折格子で回折して制御光を入力した信号出力部位から選択的に出力する構成と成し、前記入力光は信号入力部位への入力開始時又は信号出力部に対する制御光の入力切り替え時から、入力光の回折光が制御光の位相共役波になるように回折格子が自動生成するのに要する時間として予め定めた設定時間に達するまでは信号の乗らない光とし、この設定時間の経過後に信号を乗せた入力光とする構成をもって課題を解決する手段としている。
【００１４】
さらに、第５の発明は、前記第４の発明の構成を備えた上で、入力光の波長と制御光の波長は同一波長としたことを特徴とする。
【００１６】
【発明の実施の形態】
以下、本発明の一実施形態例を図面に基いて説明する。図１は本発明に係るホトリフラグティブ導波路型インターコネクション装置の一実施形態例の要部構成を示す。ホトリフラグティブ導波路型インターコネクション装置はポート間相互の信号接続を行なう機能を有する装置であり、この実施形態例においてはその代表例として光通信におけるチャネル接続スイッチを対象にして説明する。
【００１７】
図１に示すホトリフラグティブ導波路型インターコネクション装置（チャネル接続スイッチ）はホトリフラグティブ導波路と相互励起型位相共役鏡を利用した装置構成としたことを特徴とする。図１において、光を閉じ込めるクラッド部材（クラッド層）１０に覆われて複数（図では３本）のホトリフラグティブ導波路１１が集合配列されている。これらの各ホトリフラグティブ導波路１１は内部にホトリフラグティブ媒質を閉じ込めた光導波路であり、ホトリフラグティブ媒質は例えば従来例のホトリフラグティブ結晶５と同じ材料が使用される。
【００１８】
各ホトリフラグティブ導波路１１の一端側には信号入力部位としての入力ポート１２が設けられており、また、入力ポート１２から離れた各ホトリフラグティブ導波路１１の位置には複数の信号出力部位としての出力ポート１３が設けられている。図１に示す例では、各ホトリフラグティブ導波路１１に３つずつの出力ポート１３が等間隔に集合配列され、装置全体として縦横３個ずつの合計９個の出力ポート１３が２次元状に配置されている。本実施形態例において、出力ポート１３は光信号の出力ポートとして機能するほかに制御光の入力ポートとしての機能を兼用している。
【００１９】
本実施形態例において特徴的なことは、入力ポート１２から入力光（ここではレーザ光）をホトリフラグティブ導波路１１内に導入し、同時に出力ポート１３から制御光をホトリフラグティブ導波路１１に導入することにより、ホトリフラグティブ導波路１１内のホトリフラグティブ媒質に入力光の回折光が制御光の位相共役波になるような回折格子を自動的に生成させ、以って、制御光の入力した出力ポート１３から選択的に入力光の信号（入力ポート１２から入力する信号光）を出力する構成としたことである。つまり、入力ポート１２から入力される入力光と出力ポート１３から入力される制御光とによってホトリフラグティブ導波路１１内のホトリフラグティブ媒質に相互励起形位相共役器が形成されるものである。
【００２０】
次に、前記入力光と制御光との相互作用によるホトリフラグティブ効果によってホトリフラグティブ媒質に回折格子が形成される原理を図３に基いて簡単に説明する。ホトリフラグティブ効果とは、光の照射により媒質の空間電界が発生し、ポッケルス効果を介し、媒質の屈折率が変化する現象である。媒質のホトリフラグティブ結晶は、非点対称な光伝導体であり、光励起により結晶中を自由に移動できる電荷を含んでいる。これらの電荷は、結晶格子中の不純物や欠損から生じている。
【００２１】
結晶に照射された２光波の干渉により、干渉縞ができ、結晶内に周期的な光の強度分布Ｉ（ｘ）が発生する。ここで、光が強めあう所（明の部分）と、光が打ち消しあう所（暗の部分）が存在し、明の部分では、光エネルギーにより電子が、ドナーから伝導体に励起される。
【００２２】
励起されたキャリアは、拡散によりキャリア密度の大きい明部から、励起がほとんど起こらずキャリア密度が小さい暗部へと移動する。明るい部分ほど多くのキャリアが励起されるので、明の部分では励起が再結合を上回り、次第にイオン化されたドナーの密度が増加する。一方、暗の部分ではその逆のことが起きるため、干渉縞の明暗に応じた電荷密度分布ρ（ｘ）が生じる。よって、結晶内で電気的平衡が崩れ、空間電界ＥＳＣ（ｘ）が発生する。ポッケルス効果を介して、空間電界ＥＳＣ（ｘ）によって非線形分極ＰＮＬが生じ、空間屈折率変化Δｎ（ｘ）を引き起こす。この空間屈折率変化は、周期的構造をなしており、回折格子としての役割を果たし、本実施形態例におけるホトリフラグティブ導波路（ホトリフラグティブ媒質）内の位相共役光発生に用いられる。
【００２３】
ホトリフラグティブ媒質（ホトリフラグティブ結晶）中に誘起される回折格子の強さは、さまざまな光の干渉縞のコントラストに依存する。ここで、この干渉縞の形成に寄与しない第３の光が照射された場合、干渉縞のコントラストが小さくなり、結果として回折格子が弱められ、消去されていく。ここで、干渉縞の明部の強度をＩＭＡＸ、暗部の強度をＩＭＩＮとすると、コントラストＣは次の（１）式によって表される。
【００２４】
Ｃ＝（ＩＭＡＸ−ＩＭＩＮ）／（ＩＭＡＸ＋ＩＭＩＮ）・・・・・・・・（１）
また、ホトリフラグティブ効果によって発生する回折格子の振幅Δｎは次の（２）式によって与えられ、コントラストＣに比例する関係となる。
【００２５】
Δｎ∝Ｃ＝（ＩＭＡＸ−ＩＭＩＮ）／（ＩＭＡＸ＋ＩＭＩＮ）・・・・・（２）
いま、外部から干渉縞の形成に全く寄与しない別の光Ｉ′が照射された場合、この光（消去光）は干渉縞に対して何も寄与せずに言わば直流成分として働くため、前記ＩＭＡＸはＩＭＡＸ＋Ｉ′となり、ＩＭＩＮはＩＭＩＮ＋Ｉ′となる。これを前記（１）式に代入すると、次の（３）式になる。
【００２６】
Ｃ＝（ＩＭＡＸ−ＩＭＩＮ）／（ＩＭＡＸ＋ＩＭＩＮ＋２Ｉ′）・・・・（３）
（１）式と（３）式を比べれば明らかなように、（３）式の分母は２Ｉ′だけ大きいので、コントラストＣが小さくなり、回折格子振幅Δｎもそれに伴って小さくなる。なお、一般に、干渉縞を形成する光は互いにコヒーレントな光同士に限られる。
【００２７】
一方、回折格子に対してブラックの反射条件を満たすような角度から光が入射された場合、光の回折が起こる。この場合、元の入射された光と回折格子によって回折された光の干渉によって回折格子が再度形成されることになる。回折される光の振幅が大きく、この回折格子による再書き込み効果が（入射光が元の回折格子を消去する効果よりも）大きい場合、回折格子は消去されず維持される。
【００２８】
ホトリフラグティブ結晶（ホトリフラグティブ媒質）内では、散乱光により、様々な角度成分をもった回折格子が誘起されており、それらの回折格子の中で、誘起および消去、再書き込みが繰り返され、最も効率のよいパス（光経路）を形成するように、回折格子が淘汰されていく。その淘汰の結果、最後的に最も効率のよいパス（光経路）を形成する安定な回折格子が形成される。
【００２９】
図４は本実施形態例における制御光と入力光のホトリフラグティブ導波路１１中の相互作用を具体的に示す。図４（ａ）は制御光による動作を抜き出して示すもので、出力ポート１３からホトリフラグティブ導波路（ホトリフラグティブ媒質）１１に入射された制御光は、結晶の欠損や導波路の表面により様々な角度に散乱され干渉する。これらの光の干渉により、ホトリフラグティブ媒質中に様々な角度成分をもった屈折率格子（回折格子）が誘起される。
【００３０】
このとき、図４（ｂ）に示されるように、入力ポート１２からホトリフラグティブ導波路１１内に入射された入力光はこれら制御光の入力によって形成された様々な回折格子のうちの位相整合を満たすもの（ブラック回折条件を満たすもの）によって回折され、制御光の位相共役波として制御光の入射された出力ポート１３へ出力される。
【００３１】
実際には図４（ｃ）に示されるように、ホトリフラグティブ導波路１１には制御光と入力光とが共に入射され、入力光も前記制御光と同様に、結晶中を回折又は散乱して伝播し、様々な回折格子を発生させる。制御光はそれらの回折格子によって回折され、入力光の位相共役波を発生させる。つまり、ホトリフラグティブ媒質内で、入力光と制御光が互いに位相共役光を発生させる現象、いわゆる相互励起位相共役が生じる。図４（ｃ）はこの状態を示している。
【００３２】
ホトリフラグティブ導波路１１に連続的に導入される制御光と入力光はホトリフラグティブ媒質内に発生した様々な回折格子に回折される際、回折される光の振幅が大きくて消去される効果よりも再書き込み効果が大きい回折格子は消去されずに再書き込みによって強化され、再書き込み効果よりも消去効果の方が大きい回折格子は消去されていく。このように、回折格子の書き込みと消去の動作が繰り返し行われ、最も効率のよいパス（光経路）を形成する回折格子が順次の再書き込みによって強化された安定した格子として残り、それ以外の回折格子は淘汰される。この一連の回折格子の生成動作によって、ホトリフラグティブ媒質中に、入力光の回折光が制御光の位相共役波になるように安定した回折格子が自動生成（自動設定）される。この自動生成された回折格子は位相共役光を発生させる相互励起型位相共役鏡として機能する。
【００３３】
次に、図１に示す装置を用いて行なわれるインターコネクション方法（スイッチ切り替え）の一例を説明する。図１に示す例は、各ホトリフラグティブ導波路１１の入力ポート１２から個別に、ＣＨ１、ＣＨ２、ＣＨ３のチャネル信号を入力（入射）し、それらのチャネル信号を制御光が入力（入射）された出力ポート１３から選択的に出力するものである。まず、チャネル信号の送信に先立ち、ホトリフラグティブ導波路１１のホトリフラグティブ媒質内に回折格子を設定するため、各入力ポート１２から信号が乗っていない入力光（ここではレーザ光）を入射する。その一方で、信号を取り出したい出力ポート１３から制御光を入射する。制御光の波長は対応するホトリフラグティブ導波路１１の入力ポート１２から入射される入力光の波長と同一とする。
【００３４】
入力光と制御光の連続的な入射により、前記図４に示した動作と同様に動作してホトリフラグティブ導波路１１のホトリフラグティブ媒質内に、入力光の回折光が制御光の位相共役波になるように回折格子が自動設定される。入力光を入射してから回折格子が自動設定されるまでの微小な時間は実験等により既知の値として得られることから、その時間（実際は多少余裕を持たせた時間）を予め設定しておき、入力光を入射開始してから（より詳細には入力光と制御光が同時に入射された状態となったときから）その設定時間が経過したとき以降に入力光にチャネル信号を乗せた入力信号光を入力ポート１２に導入する。なお、制御光は入力信号光の送信が完了するまでは連続的に出力ポート１３からホトリフラグティブ導波路１１内に導入し続ける。
【００３５】
ホトリフラグティブ導波路１１のホトリフラグティブ媒質内には既に回折格子が自動設定されていることから、入力信号光（ＣＨ１、ＣＨ２、ＣＨ３）は制御光の位相共役光として取り出されるため、入力信号光の出力位置は制御光の入力位置と完全に一致し、入力信号光は制御光が入射された出力ポート１３から出力される。なお、ＣＨ１、ＣＨ２、ＣＨ３を乗せる各入力光（各入力信号光）の波長は同一であってもよく異なっていてもよいが、入力信号光ＣＨ１の信号出力ポートを制御する制御光の波長は入力信号光ＣＨ１の波長と同じであり、入力信号光ＣＨ２の信号出力ポートを制御する制御光の波長は入力信号光ＣＨ２の波長と同じである。このように、チャネル信号毎（各ホトリフラグティブ導波路１１毎）に入力信号光と制御光は互いに同一波長の関係が保たれている。
【００３６】
入力信号光の出力ポートを切り替えたい場合は、制御光の入射位置を入力信号光を取り出したい出力ポート１３に切り替える。それに伴い、入力ポート１２へは信号の乗らない入力光を入射してホトリフラグティブ導波路１１のホトリフラグティブ媒質内に新たな回折格子を自動設定させる（旧の回折格子は消去される）。この制御光の切り替え後、回折格子が自動設定されるのに要する時間として予め設定した設定時間が経過した以降に入力光に信号を乗せることにより、この入力信号光（信号が乗せられた入力光）は同様に制御光が入射された出力ポート１３から送出される。
【００３７】
本実施形態例においては、入力信号光の送信が行なわれる全期間にわたって制御光を信号取り出しポートとして選択した出力ポート１３へ入射することから、出力ポート１３の外側では、制御光の経路（外部経路）と出力光（出力信号光）の経路を分離することが望ましい。このため、本実施形態例では図２に示すように、各出力ポート１３側の位置にその経路分離を行う経路分離手段としてのビームスプリッタ１を設けている。
【００３８】
なお、本発明は上記実施形態例に限定されることなく様々な実施の態様を採り得る。例えば、上記実施形態例では、複数のホトリフラグティブ導波路１１を集合配列したが、ホトリフラグティブ導波路１１は１つでもよく、その数は限定されない。
【００３９】
また、上記実施形態例では、連続した１本のホトリフラグティブ導波路１１に入力ポート１２と、回折格子の自動設定部と、出力ポート１３とを一体的に形成したが、これらの各部の１つ以上を分離した部品として形成し、各部品を光学的に接続する構成としてもよい。
【００４０】
さらに、上記実施形態例では、入力光（入力信号光）と制御光の波長は、ホトリフラグティブ導波路１１内に相互励起形位相共役器を最適に形成するために、換言すれば、入力光の回折光が制御光の位相共役波になるような回折格子を最適に自動生成するために、同一波長としたが、相互励起形位相共役器を形成することが可能であれば入力光（入力信号光）と制御光の波長は多少異なった波長でもよい。
【００４１】
さらに、上記実施形態例では、入力信号光の送信中は制御光を連続的に出力ポート１３からホトリフラグティブ導波路１１内へ入射させたが、例えば、入力光と制御光の入射により、ホトリフラグティブ導波路（ホトリフラグティブ媒質）１１内に回折格子が自動設定された後は制御光の入射を停止して、出力ポート１３（制御光を入射した出力ポート１３）から出力光（入力信号光の出力光）を送信するようにしてもよい。ただし、制御光を停止すると自動設定された回折格子は入力信号光によって劣化していくので、パルス動作等の短時間の送信動作に限定するか、あるいは、自動設定された回折格子の劣化を抑制する工夫が必要となる。
【００４２】
【発明の効果】
本発明は、光信号のインターコネクション制御に電気信号を使用することを要せず、光で光を制御する構成であるため、耐電磁干渉性や耐発熱性に優れた性能を発揮する。
【００４３】
また、ホトリフラグティブ導波路内全域の長い区間にわたって入力光（入力信号光）と制御光の相互作用領域を確保できるため、効率がそれほど高くないホトリフラグティブ媒質を用いたとしても、高い接続効率を得ることが可能である。
【００４４】
さらに、出力光が制御光に対する位相共役光として観測されるため、伝送路におけるさまざまなゆがみを補正することができ、また、コリメート等が不必要となるので、そのコリメート光部品の挿入損失を回避でき、インターコネクション（光信号接続）の信頼性、特性改善を図ることができる。
【００４５】
さらに、出力ポート（信号出力部位）に１本の光（制御光）を入射させるだけの操作で、光信号の接続制御を達成できるので、装置構成が簡易となり、優れた性能の装置を安価に提供することができる。
【図面の簡単な説明】
【図１】本発明に係るホトリフラグティブ導波路型インターコネクション装置の一実施形態例の構成説明図である。
【図２】出力ポートに設けられる制御光と出力光の経路分離手段の一例を示す図である。
【図３】ホトリフラグティブ効果の説明図である。
【図４】制御光と入力光による回折格子の自動生成作用の説明図である。
【図５】ホトリフラグティブ２波混合を用いた従来の光インターコネクションの説明図である。
【図６】計算機生成ホログラムを空間並列スイッチとして用いた従来の光インターコネクションの説明図である。
【符号の説明】
１１  ホトリフラグティブ導波路
１２  入力ポート（信号入力部位）
１３  出力ポート（信号出力部位）
【図１】
0004104349.tif 000002
【図２】
0004104349.tif 000003
【図３】
0004104349.tif 000004
【図４】
0004104349.tif 000005
【図５】
0004104349.tif 000006
【図６】
0004104349.tif 000007